(57)【要約】他の様々な香料との調和性に優れ、調合することで特徴的な香りの効果を創出することを可能にできるムスク様組成物を提供する。一般式（Ｉ）で表される化合物を含む組成物であって、前記一般式（Ｉ）で表される化合物のＥ体と一般式（Ｉ）のＺ体の比率がＥ体／Ｚ体＝３／７以上７／３以下である組成物。【化１】2019194186.tif 000017
2019194186.tif 000002
【特許請求の範囲】
【請求項１】
一般式（Ｉ）で表される化合物を含む組成物であって、前記一般式（Ｉ）で表される化合物のＥ体と前記一般式（Ｉ）で表される化合物のＺ体の比率がＥ体／Ｚ体＝３／７以上７／３以下である組成物。
【化７】
2019194186.tif 000016
【請求項２】
前記一般式（Ｉ）で表される化合物のＥ体と前記一般式（Ｉ）で表される化合物のＺ体の比率が、Ｅ体／Ｚ体＝５／５以上７／３以下である請求項１に記載の組成物。
【請求項３】
一般式（Ｉ）で表される化合物以外の香料を含有し、前記一般式（Ｉ）で表される化合物の含有量が、０．０１質量％以上２５質量％以下である請求項１又は２に記載の組成物。
【請求項４】
前記一般式（Ｉ）で表される化合物以外の香料が、炭化水素類、アルコール類、フェノール類、アルデヒド類、ケトン類、アセタール類、エーテル類、エステル類、カーボネート類、化合物（Ｉ）を除くラクトン類、カルボン酸類、ニトリル類、シッフ塩基類、天然精油および天然抽出物のうち１種以上である、請求項３に記載の組成物。
【請求項５】
請求項１〜４いずれか一項記載の組成物を含有する洗浄剤。
【請求項６】
請求項１〜４いずれか一項記載の組成物を含有する化粧料。
【請求項７】
請求項１〜４いずれか一項記載の組成物を含有する繊維処理剤。
【請求項８】
請求項１〜４いずれか一項記載の組成物を賦香成分として使用する方法。
【請求項９】
請求項１〜４いずれか一項記載の組成物を賦香成分として香り全体を強める方法。
【請求項１０】
請求項１〜４いずれか一項記載の組成物を賦香成分としてムスクの柔らかさを足す方法。
【発明の詳細な説明】
【技術分野】
【０００１】
本発明は、ムスク様組成物に関するものである。
【背景技術】
【０００２】
香りは製品等の嗜好性や高級感、安心感、効果への期待感などを演出する重要な要素である。さらに特徴ある香は製品を識別する効果、および顧客を吸引する力を与える。特にムスクの香調は石けんや化粧品をはじめ様々な調合香料に使用される。【０００３】
オキサシクロヘプタデク−１０−エン−２−オンや、オキサシクロヘプタデク―８―エン−２−オン等がムスクの香調を与える香料素材として知られている。【０００４】
特許文献１にはＥ体：Ｚ体の比率が８５：１５のオキサシクロヘプタデク―１０―エン−２−オン（イソアンブレットライド）の製造が開示されている。【０００５】
また、特許文献２にはＺ体の含有率が９９．５％以上のオキサシクロヘプタデク―１０―エン−２−オンの製造が開示されている。【０００６】
また、特許文献３には、オキサシクロヘプタデク―１０―エン−２−オンの製造が開示されている。【０００７】
また、オキサシクロヘプタデク―８―エン−２−オンのＺ体は、ＣＡＳ番号１２３−６９−３のもと、登録されている。このオキサシクロヘプタデク―８―エン−２−オンのＺ体は、植物性天然香料「Ambrette seed oil」中に１０％前後存在する天然物であることが知られている。【０００８】
【化１】
2019194186.tif 000003
【先行技術文献】
【特許文献】
【０００９】
【特許文献１】特表２０１７−５１７４７７号公報
【特許文献２】特開平１１−２９３２８４号公報
【特許文献３】特開２０１６−１２４８６８号公報
【特許文献４】ＷＯ２０１６／５３６１号公報
【発明の概要】
【発明が解決しようとする課題】
【００１０】
ムスクは幅広く使用される重要な香料素材であるが、動物性香料であることから、アニマリック感も強い。特にトイレタリー製品などは、清潔感のあるみずみずしい香調が好まれる。そのため、調香の自由度を上げるために、アニマリック感を低減し、調合香料中で他の香調とも調和しやすく、くせのないムスク香調を有する香料組成物が望まれていた。【００１１】
そこで、本発明は、他の様々な香料との調和性に優れ、調合することで特徴的な香りの効果を創出することが可能なムスク様組成物を提供することを目的とする。
【課題を解決するための手段】
【００１２】
本発明は、
下記一般式（Ｉ）で表される化合物を含む組成物であって、前記一般式（Ｉ）で表される化合物のＥ体と前記一般式（Ｉ）で表される化合物のＺ体の比率がＥ体／Ｚ体＝３／７以上７／３以下である。【００１３】
【化２】
2019194186.tif 000004
【発明の効果】
【００１４】
本発明の組成物は、他の様々な香料との調和性に優れ、調合することで特徴的な香りの効果を創出することが可能という利点がある。
【発明を実施するための形態】
【００１５】
本発明において、一般式（Ｉ）で表される化合物は、他の様々な香料との調和性に優れ、調合することで特徴的な香りの効果を創出する観点から、Ｅ体とＺ体の比率が、Ｅ体／Ｚ体＝３／７以上７／３以下であり、好ましくは４／６以上７／３以下であり、より好ましくは５／５以上７／３以下、より好ましくは５／５超７／３以下である。
【００１６】
一般式（Ｉ）で表される化合物を含む本発明の組成物は、例えば、Ｅ体とＺ体の比率がＥ体／Ｚ体＝３／７以上７／３以下になるように一般式（Ｉ）で表される化合物（以下、「式（Ｉ）の化合物」または「化合物（Ｉ）」と呼ぶことがある）のＥ体とＺ体とを混合することにより、得ることができる。
【００１７】
式（Ｉ）の化合物のＥ体は、従来公知の方法により得ることができる。そのような方法としては、例えば、Facile synthesis of (E)-7-hexadecen-1,16-olide, J. In. Chem. Soc. Vol. 83, 1179-1180, 2006 に記載のものが挙げられる。
【００１８】
式（Ｉ）の化合物のＺ体は、例えば、９−デセニル−７−オクテノアートをＺ選択的触媒を使用したメタセシス反応により閉環することにより得ることができる（Highly Active Ruthenium Metathesis Catalysts Exhibiting Unprecedented Activity and Z-Selectivity, J. Am.Chem.Soc. 135, 1276−1279, 2013）。
【００１９】
本発明の組成物は、一般式（Ｉ）で表される化合物以外の香料を含有することが好ましい。本発明において、他の様々な香料との調和性に優れ、調合することで特徴的な香りの効果を創出することが可能な観点から、式（Ｉ）で表される化合物の含有量が、組成物中、好ましくは０．０１質量％以上、より好ましくは０．１質量％以上、より好ましくは０．３質量％以上、より好ましくは１質量％以上、であり、そして、好ましくは９９質量％以下、より好ましくは５０質量％以下、より好ましくは２５質量％以下であるのが好ましい。
【００２０】
本発明の組成物は、一般式（Ｉ）で表される化合物を含み、一般式（Ｉ）で表される化合物のＥ体と一般式（Ｉ）で表される化合物のＺ体の比率がＥ体／Ｚ体＝３／７以上７／３以下であるため、他の様々な香料との調和性に優れ、調合することで特徴的な香りの効果を創出することが可能である。また、本発明の組成物は、化合物（Ｉ）以外の香料として、通常用いられる他の香料成分や、所望組成の調合香料を含むことができる。化合物（Ｉ）以外の香料を含むことにより、例えば、フローラル調、ブーケ調、ヒヤシンス調、ゼラニウム調、ローズ調、ベルガモット調、ラン調、スズラン調（ミューゲ）の香気を本発明の組成物に付与することができる。すなわち、本発明の組成物は、一般式（Ｉ）の化合物以外の香料を更に含有するのが好ましい。
【００２１】
本発明の組成物において、化合物（Ｉ）と組み合わせて用いることができる他の香料としては、アルコール類、炭化水素類、フェノール類、エステル類、カーボネート類、アルデヒド類、ケトン類、アセタール類、エーテル類、カルボン酸、化合物（Ｉ）を除くラクトン類、ニトリル類、シッフ塩基類、天然精油や天然抽出物等の香料成分が挙げられる。
【００２２】
これらの中でも、アルコール類、エステル類、アルデヒド類、ケトン類、エーテル類、カーボネート類、ラクトン類、天然精油や天然抽出物が好ましい。
【００２３】
本明細書中、各香料の「類」には単一の化合物、あるいは２つ以上の化合物の混合物を意味する。
【００２４】
アルコール類としては、脂肪族アルコール、テルペン系アルコール、芳香族アルコール、その他のアルコール等が挙げられる。これらの中でも脂肪族アルコールが好ましい。
【００２５】
テルペン系アルコールとしては、リナロール、シトロネロール、ゲラニオール、ネロール、ターピネオール、α−ターピネオール、ジヒドロミルセノール、ファルネソール、ネロリドール、セドロール、メントール、ボルネオール、α−テルピネオール（p-メント-1-エン-8-オール）等が挙げられる。
【００２６】
芳香族アルコールとしては、フェニルエチルアルコール、ベンジルアルコール、ジメチルベンジルカルビノール、フェニルエチルジメチルカルビノール、フェニルヘキサノール、アンブリノール（１，２，３，４，４ａ，５，６，７−オクタヒドロ−２，５，５−トリメチル−ナフタレン−２−オール）、アンブリノール２０Ｔ（高砂香料工業株式会社商品名、１，２，３，４，４ａ，５，６，７−オクタヒドロ−２，５，５−トリメチル−ナフタレン−２−オール）、インドレン５０ＢＢ（ＩＦＦ社商品名、７，７−ビス（１Ｈ−インドール−３−イル）−１，１，５−トリメチル−１−ヘプタノール）等が挙げられる。
【００２７】
脂肪族アルコールとしては、シス−３−ヘキセノール、１−（２，２，６−トリメチルシクロヘキシル）−３−ヘキサノール、アンバーコア（花王株式会社商品名、１−（２−ｔ−ブチルシクロヘキシルオキシ）−２−ブタノール）、サンダルマイソールコア（花王株式会社商品名、２−メチル−４−（２，２，３−トリメチル−３−シクロペンテン−１−イル）−２−ブテン−１−オール）、マグノール（花王株式会社商品名、エチルノルボニルシクロヘキサノールを主成分とする混合物）、ウンデカベルトール（Ｇｉｖａｕｄａｎ株式会社商品名、４−メチル−３−デセン−５−オール）、イソボルニルシクロヘキサノール、ポリメフロール（高砂香料工業株式会社商品名、１−（２−メチル−２−プロペニルオキシ）−２，２，４−トリメチルペンタン−３−オール）等が挙げられる。
【００２８】
その他のアルコールとしては、フロローサ（ジボダン社商品名、化学名：４−メチル−２−（２−メチルプロピル）テトラヒドロ−２Ｈ−４−ピラノール）、デセノール等が挙げられる。
【００２９】
炭化水素類としては、リモネン、α−ピネン、β−ピネン、テルピネン、セドレン、ロンギフォレン、バレンセン、オシメン、アンブロテック（花王株式会社商品名、ドデカヒドロ−３ａ，６，６，９ａ−テトラメチルナフト［２，１−ｂ］フラン）、フロレックス（フィルメニヒ社商品名、６−エチリデンオクタハイドロ−５，８−メタノ−２Ｈ−１−ベンゾピラン）、ハバノリド（フィルメニヒ社商品名、シクロペンタデセノリド）等が挙げられる。
【００３０】
フェノール類としては、グアヤコール、オイゲノール、イソオイゲノール、チモール、パラクレゾール、バニリン、エチルバニリン等が挙げられる。
【００３１】
エステル類としては、脂肪族カルボン酸エステル、芳香族カルボン酸エステル、その他のカルボン酸エステルが挙げられる。
【００３２】
脂肪族カルボン酸エステルを形成する脂肪族カルボン酸としては、炭素数１〜１８の直鎖及び分岐鎖カルボン酸が挙げられるが、中でもギ酸、酢酸、プロピオン酸等の炭素数１〜６のカルボン酸、特に酢酸が重要である。芳香族カルボン酸エステルを形成する芳香族カルボン酸としては、安息香酸、アニス酸、フェニル酢酸、桂皮酸、サリチル酸、アントラニル酸等が挙げられる。脂肪族及び芳香族エステルを形成するアルコールとしては、炭素数１〜５の直鎖及び分岐鎖脂肪族アルコール及び上記の香料成分アルコール類が挙げられる。
【００３３】
ギ酸エステルとしては、リナリルホルメート、シトロネリルホルメート、ゲラニルホルメート等が挙げられる。
【００３４】
酢酸エステルとしては、ヘキシルアセテート、シス−３−ヘキセニルアセテート、リナリルアセテート、シトロネリルアセテート、ゲラニルアセテート、ネリルアセテート、テルピニルアセテート、ノピルアセテート、ボルニルアセテート、イソボルニルアセテート、アセチルオイゲノール、アセチルイソオイゲノール、ｏ−ｔｅｒｔ−ブチルシクロヘキシルアセテート、ｐ−ｔｅｒｔ−ブチルシクロヘキシルアセテート、トリシクロデセニルアセテート、ベンジルアセテート、フェニルエチルアセテート、スチラリルアセテート、シンナミルアセテート、ジメチルベンジルカルビニルアセテート、フェニルエチルフェニルアセテート、３−ペンチルテトラヒドロピラン−４−イルアセテート、パラクレジルフェニルアセテート等が挙げられる。
【００３５】
プロピオン酸エステルとしては、シトロネリルプロピオネート、トリシクロデセニルプロピオネート、アリルシクロヘキシルプロピオネート、エチル２−シクロヘキシルプロピオネート、ベンジルプロピオネート、スチラリルプロピオネート等が挙げられる。
【００３６】
酪酸エステルとしては、シトロネリルブチレート、ジメチルベンジルカルビニルｎ−ブチレート、トリシクロデセニルイソブチレート等が挙げられる。
【００３７】
吉草酸エステルとしては、メチルバレレート、エチルバレレート、ブチルバレレート、アミルバレレート、ベンジルバレレート、フェニルエチルバレレート等；ヘキサン酸エステルとしては、メチルヘキサノエート、エチルヘキサノエート、アリルヘキサノエート、リナリルヘキサノエート、シトロネリルヘキサノエート等が挙げられる。
【００３８】
ヘプタン酸エステルとしては、メチルヘプタノエート、アリルヘプタノエート等が挙げられる。
【００３９】
ノネン酸エステルとしては、メチル２−ノネノエート、エチル２−ノネノエート、エチル３−ノネノエート等が挙げられる。
【００４０】
安息香酸エステルとしては、メチルベンゾエート、ベンジルベンゾエート、３，６−ジメチルベンゾエート等が挙げられる。
【００４１】
桂皮酸エステルとしては、メチルシンナメート、ベンジルシンナメート、フェニルエチルシンナメート等が挙げられる。
【００４２】
サリチル酸エステルとしては、メチルサリシレート、ｎ−ヘキシルサリシレート、シス−３−ヘキセニルサリシレート、シクロヘキシルサリシレート、ベンジルサリシレート等が挙げられる。
【００４３】
さらに、ブラシル酸エステルとしては、エチレンブラシレート等が挙げられる。
【００４４】
チグリン酸エステルとしては、ゲラニルチグレート、１−ヘキシルチグレート、シス−３−ヘキセニルチグレート等が挙げられる。
【００４５】
ジャスモン酸エステルとしては、メチルジャスモネート、メチルジヒドロジャスモネート等が挙げられる。
【００４６】
グリシド酸エステルとしては、メチル２，４−ジヒドロキシ−エチルメチルフェニルグリシデート、４−メチルフェニルエチルグリシデート等が挙げられる。
【００４７】
アンスラニル酸エステルとしては、メチルアンスラニレート、エチルアンスラニレート、ジメチルアンスラニレート等が挙げられる。
【００４８】
さらにその他のエステルとしては、エチルサフラネート（ジボダン社商品名、ジヒドロシクロゲラン酸エチル）、ポアレネート（花王株式会社商品名、エチル−２−シクロヘキシルプロピオネート）、フルテート（花王株式会社商品名、エチルトリシクロ［５．２．１．０2.6］デカン−２−カルボキシレート）、ジャスモン酸メチル、ＭＤＪ（花王株式会社商品名、ジヒドロジャスモン酸メチル、メチル （２−ペンチル−３−オキソシクロペンチル）アセテート）、シクロヘキシルサリシレート（花王株式会社商品名）、Ｉ．Ｐ．Ｍ（ミリスチン酸イソプロピル）等が挙げられる。
【００４９】
カーボネート類としては、リファローム（ＩＦＦ社商品名、シスー３−ヘキセニルメチルカーボネート）、ジャスマシクラット（花王株式会社商品名、メチル−シクロオクチルカーボネート）、フロラマット（花王株式会社商品名、エチル−２−ｔ−ブチルシクロヘキシルカーボネート）等が挙げられる。
【００５０】
アルデヒド類としては、ｎ−オクタナール、n−ノナナール、ｎ−デカナ−ル、ｎ−ドデカナ−ル、２−メチルウンデカナール、１０−ウンデセナール、シトロネラール、シトラール、ヒドロキシシトロネラール、トリプラール（ＩＦＦ商品名、２，４−ジメチル−３−シクロヘキセン−１−カルボキシアルデヒド）、シクロベルタール（花王株式会社商品名、ジメチル−３−シクロヘキセニル−１−カルボキシアルデヒド）、ベンズアルデヒド、フェニルアセトアルデヒド、フェニルプロピルアルデヒド、シンナミックアルデヒド、ジメチルテトラヒドロベンズアルデヒド、ブルゲオナール（Ｇｉｖａｕｄａｎ社商品名、３−（４−ｔｅｒｔ−ブチルフェニル）プロパナール）、リラール（ＩＦＦ社商品名、ヒドロキシマイラックアルデヒド）、ポレナールＩＩ（花王株式会社商品名、２−シクロヘキシルプロパナール）、リリアール（Ｇｉｖａｕｄａｎ社商品名、ｐ−ｔｅｒｔ−ブチル−α−メチルヒドロシンナミックアルデヒド）、ｐ−イソプロピル−α−メチルヒドロシンナミックアルデヒド、フロラロゾン（ＩＦＦ社商品名、３−（ｏ−（およびｐ−）エチルフェニル）−２，２−ジメチルプロピオンアルデヒド）、α−アミルシンナミックアルデヒド、α−ヘキシルシンナミックアルデヒド、ヘリオトロピン、ヘリオナール（ＩＦＦ社商品名、アルファ−メチル−１，３−ベンゾジオキソール−５−プロパナール）等が挙げられる。
【００５１】
ケトン類としては、メチルヘプテノン、ジメチルオクテノン、３−オクタノン、ヘキシルシクロペンタノン、ジヒドロジャスモン、ベルートン（フィルメニッヒ社商品名、２，２，５−トリメチル−５−ペンチルシクロペンタノン）、ネクタリル（ジボダン社商品名、２−（２−（４−メチル−３−シクロヘキセン−１−イル）プロピル）シクロペンタノン）、イオノン、β−イオノン、メチルイオノン、メチルイオノン−Ｇ、γ−メチルイオノン、ダマスコン、α−ダマスコン、β−ダマスコン、δ−ダマスコン、イソダマスコン（シムライズ社商品名、１−（２，４，４−トリメチル−２−シクロヘキシル）−ｔｒａｎｓ−２−ブタノン）、ダマセノン、ダイナスコン（フィルメニッヒ社商品名、１−（５，５−ジメチル−１−シクロヘキセン−１−イル）−４−ペンテン−１−オン）、イロン、カシュメラン（ＩＦＦ社商品名、１，２，３，５，６，７−ヘキサヒドロ−１，１，２，３，３−ペンタメチル−４Ｈ−インデン−４−オン）、イソ・イー・スーパー（ＩＦＦ社商品名、１−（１，２，３，４，５，６，７，８−オクタヒドロ−２，３，８，８−テトラメチル−２−ナフタレニル）−エタン−１−オン）、カロン（フィルメニッヒ社商品名、７−メチル−３，４−ジヒドロ−２Ｈ−ベンゾジオキセピン−３−オン）、カルボン、メントン、l−メントン、アセチルセドレン、イソロンギフォラノン、ヌートカトン、ベンジルアセトン、ラズベリーケトン、ベンゾフェノン、トナリド（ＰＦＷ社商品名、６−アセチル−１，１，２，４，４，７−ヘキサメチルテトラヒドロナフタレン）、β−メチルナフチルケトン、エチルマルトール、カンファー、ムスコン（３−メチルシクロペンタデカノン）、l−ムスコン（(R)-3-メチルシクロペンタデカノン）、ムセノン（フィルメニッヒ社商品、３−メチル−５−シクロペンタデセン−１−オン）、シベトン、グロバノン（シムライズ社商品名、８−シクロヘキサデセノン）、メチルノニルケトン、cis−ジャスモン、フロラントンＴ（高砂香料工業株式会社商品名、１−（５，６，７，８−テトラヒドロ−２−ナフタレニル）エタノン）、ムスクＴＭ−ＩＩ（曽田香料株式会社商品名、５−シクロヘキサデセン−１−オン）、ムスクＺ−４（ＩＦＦ社商品名、（Ｚ）−４−シクロペンタデセン−１−オン）、べルートン（フィルメニヒ社商品名、２，５，５−トリメチル−２−ペンチルシクロペンタノン）等が挙げられる。なかでも他の香料と調合することでフローラルな甘さを強調する観点から、イオノン、ダマセノン、イソ・イー・スーパー、またはγ−メチルイオノンが好ましい。
【００５２】
アセタール類としては、アセトアルデヒドエチルフェニルプロピルアセタール、シトラールジエチルアセタール、フェニルアセトアルデヒドグリセリルアセタール、エチルアセトアセテートエチレングリコールアセタール、ボアザンブレンフォルテ（花王株式会社商品名）、トロエナン（花王株式会社商品名）等が挙げられる。
【００５３】
エーテル類としては、エチルリナロール、セドリルメチルエーテル、エストラゴール、アネトール、β−ナフチルメチルエーテル、β−ナフチルエチルエーテル、リモネンオキサイド、ローズオキサイド、ネロールオキサイド、１，８−シネオール、ローズフラン、アンブロキサン（花王株式会社商品名、［３ａＲ−（３ａα，５ａβ，９ａα，９ｂβ）］ドデカヒドロ−３ａ，６，６，９ａ−テトラメチルナフト［２，１−ｂ］フラン）、ハーバベール（花王株式会社商品名、３，３，５−トリメチルシクロヘキシルエチルエーテル）、ガラクソリド（ＩＦＦ社商品名、ヘキサメチルヘキサヒドロシクロペンタベンゾピラン）、フェニルアセトアルデヒドジメチルアセタール、ボアザンブレンフォルテ（花王株式会社商品名、エトキシメチルシクロドデシルエーテル）等が挙げられる。
【００５４】
カルボン酸類としては、安息香酸、フェニル酢酸、桂皮酸、ヒドロ桂皮酸、酪酸、２−ヘキセン酸等が挙げられる。
【００５５】
化合物（Ｉ）を除くラクトン類としては、γ−デカラクトン、δ−デカラクトン、γ−バレロラクトン、γ−ノナラクトン、γ−ウンデカラクトン、δ−ヘキサラクトン、γ−ジャスモラクトン、ウイスキーラクトン、クマリン、シクロペンタデカノリド、シクロヘキサデカノリド、１１−オキサヘキサデカノリド、ブチリデンフタリド等が挙げられる。
【００５６】
ニトリル類としては、ゲラニルニトリル、シトロネリルニトリル、ドデカンニトリル等が挙げられる。
【００５７】
シッフ塩基類としては、オーランチオール、リガントラール等が挙げられる。
【００５８】
天然精油や天然抽出物としては、オレンジ、レモン、ライム、ベルガモット、バニラ、マンダリン、ペパーミント、スペアミント、ラベンダー、カモミル、ローズマリー、ユーカリ、セージ、バジル、ローズ、ロックローズ、ゼラニウム、ジャスミン、イランイラン、アニス、クローブ、ジンジャー、ナツメグ、カルダモン、セダー、ヒノキ、ベチバー、パチュリ、レモングラス、ラブダナム、グレープフルーツ、ユーカリ葉油、ガジャクウッド油等が挙げられる。
【００５９】
これらのその他の香料の含有量は、調合香料の種類、目的とする香気の種類及び香気の強さ等により適宜選択することができるが、組成物中、その他の香料の含有量は、それぞれ、好ましくは０．０００１質量％以上、より好ましくは０．００１質量％以上、そして、好ましくは９９．９９質量％以下、より好ましくは８０質量％以下である。また、その他の香料の含有量の合計は、組成物中、好ましくは５質量％以上、より好ましくは５０質量％以上、そして、好ましくは９９．９９質量％以下、より好ましくは９９．９５質量％以下である。
【００６０】
本発明の組成物は、Ｅ体とＺ体の比率が特定の割合である一般式（Ｉ）で表される化合物、及びその他の香料素材を含有させるベースとして、それ自身は匂いを持たない油剤を含有させることができる。このような油剤は、香料成分を均一に混合させ、製品に配合しやすく、適度な強度の香りを賦香しやすくすることができる。前記油剤の例としては、エチレングリコール、プロピレングリコール、ブチレングリコール、ジプロピレングリコール等の多価アルコール、ミリスチン酸イソプロピル、アジピン酸ジブチル、セバシン酸ジエチル等のエステル、流動パラフィン、スクワラン等の炭化水素、ポリオキシエチレンアルキルエーテル、ソルビタン脂肪酸エステル等の界面活性剤等が挙げられる。
【００６１】
これらのなかでも、全ての香料成分の溶解性の観点から、前記油剤としては多価アルコールおよびエステルが好ましく、ジプロピレングリコールおよびミリスチン酸イソプロピルがより好ましい。かかる油剤の含有量は、組成物中、好ましくは０．０１質量％以上、より好ましくは１質量％以上、さらに好ましくは５質量％以上、そして、好ましくは９５質量％以下、より好ましくは９０質量％以下、さらに好ましくは８０質量％以下である。
【００６２】
本発明は、本発明の組成物を含有する洗浄剤、本発明の組成物を含有する化粧料、および本発明の組成物を含有する繊維処理剤も提供する。
【００６３】
本発明の洗浄剤としては、身体用洗浄剤、衣料用洗浄剤、硬質表面用洗浄剤が好ましく、身体用洗浄剤、衣料用洗浄剤がより好ましく、衣料用洗浄剤が更に好ましい。
【００６４】
身体用洗浄剤の例としては、皮膚用洗浄剤、毛髪用洗浄剤、石鹸が挙げられ、皮膚用洗浄剤が好ましい。
【００６５】
硬質表面用洗浄剤の例としては、多用途洗浄剤（Ａｌｌ  ｐｕｒｐｏｓｅ  Ｃｌｅａｎｅｒ）、食器用洗浄剤が挙げられる。
【００６６】
本発明の繊維処理剤としては、柔軟剤が好ましい。
【００６７】
本発明の化粧料としては、香水、乳液、化粧水、日焼け止めが好ましく、香水がより好ましい。
【００６８】
本発明の洗浄剤には、本発明の組成物以外に、陰イオン界面活性剤を含有することが好ましく、更に非イオン界面活性剤、ｐＨ調整剤、粘度調整剤、溶媒、油剤、防腐剤、水等を配合することができる。
【００６９】
本発明の繊維処理剤には、本発明の組成物以外に、陽イオン界面活性剤を含有することが好ましく、更にｐＨ調整剤、溶媒、油剤、防腐剤、水等を配合することができる。
【００７０】
本発明の香水には、本発明の組成物以外に、溶媒、水等を配合することができる。
【００７１】
Ｅ体とＺ体の比率が特定の割合である一般式（Ｉ）で表される化合物を含む本発明の組成物は、ムスク様組成物であって、前記のように、他の様々な香料との調和性に優れ、調合することで特徴的な香りの効果を創出することができる。従って、本発明は、前記のように、前記組成物を賦香成分として使用する方法、具体的には、組成物、洗浄剤、化粧料又は繊維処理剤の賦香成分として使用する方法である。前記洗浄剤としては、身体用洗浄剤、衣料用洗浄剤、硬質表面用洗浄剤が好ましく、身体用洗浄剤、衣料用洗浄剤がより好ましく、衣料用洗浄剤が更に好ましい。前記身体用洗浄剤の例としては、皮膚用洗浄剤、毛髪用洗浄剤、石鹸が挙げられ、皮膚用洗浄剤が好ましい。前記硬質表面用洗浄剤の例としては、多用途洗浄剤（Ａｌｌ  ｐｕｒｐｏｓｅ  Ｃｌｅａｎｅｒ）、食器用洗浄剤が挙げられる。前記化粧料としては、香水が好ましい。前記繊維処理剤としては、柔軟剤が好ましい。
【００７２】
前記使用する方法において、前記組成物は、洗浄剤、化粧料又は柔軟剤に対して、好ましくは０．００００１質量％以上、より好ましくは０．０００１質量％以上そして、好ましくは０．０１質量％以下、より好ましくは０．００１質量％以下の量で使用する。この量で使用することにより、様々な香料との調和性に優れ、調合することで特徴的な香りの効果を創出することが可能なムスクの香気を付与することができる。
【００７３】
前記使用する方法において、前記組成物は、香水に対して、好ましくは０．０００１質量％以上、より好ましくは０．００１質量％以上、そして、好ましくは０．１質量％以下、より好ましくは０．０１質量％以下の量で使用する。この量で使用することにより、様々な香料との調和性に優れ、調合することで特徴的な香りの効果を創出することが可能なムスクの香気を付与することができる。
【００７４】
前記使用する方法において、前記組成物を賦香成分として用いる組成物には、それ自身は匂いを持たない油剤を含有させてもよい。前記油剤については、前記組成物において説明したものと同様である。また、前記使用する方法において、前記組成物を賦香成分として用いる組成物には、前記組成物（すなわちＥ体とＺ体の比率が特定の割合である一般式（Ｉ）で表される化合物を含む）以外に、その他の香料として、通常用いられる他の香料成分や、所望組成の調合香料を含んでもよい。そのような、その他の香料としては、前記組成物において説明したものと同様である。
【００７５】
前記使用する方法において前記組成物を賦香成分として用いる洗浄剤、化粧料又は柔軟剤には、それ自身は匂いを持たない油剤を含有させてもよい。前記油剤については、前記組成物において説明したものと同様である。また、前記使用する方法において、前記組成物を賦香成分として用いる洗浄剤、化粧料又は柔軟剤には、Ｅ体とＺ体の比率が特定の割合である一般式（Ｉ）で表される化合物以外に、その他の香料として、通常用いられる他の香料成分や、所望組成の調合香料を含んでもよい。そのような、その他の香料としては、前記組成物において説明したものと同様である。
【００７６】
上述した実施形態に関し、本発明はさらに以下の組成物を開示する。
【００７７】
＜１＞  一般式（Ｉ）で表される化合物を含む組成物であって、前記一般式（Ｉ）で表される化合物のＥ体と前記一般式（Ｉ）で表される化合物のＺ体の比率がＥ体／Ｚ体＝３／７以上７／３以下である組成物。
【化３】
2019194186.tif 000005
【００７８】
＜２＞  前記一般式（Ｉ）で表される化合物のＥ体と前記一般式（Ｉ）で表される化合物のＺ体の比率が、Ｅ体／Ｚ体＝５／５以上７／３以下である＜１＞に記載の組成物。
【００７９】
＜３＞  一般式（Ｉ）で表される化合物以外の香料を含有し、前記一般式（Ｉ）で表される化合物の含有量が、０．０１質量％以上２５質量％以下である＜１＞又は＜２＞の組成物。
【００８０】
＜４＞  前記一般式（Ｉ）で表される化合物以外の香料が、炭化水素類、アルコール類、フェノール類、アルデヒド類、ケトン類、アセタール類、エーテル類、エステル類、カーボネート類、化合物（Ｉ）を除くラクトン類、カルボン酸類、ニトリル類、シッフ塩基類、天然精油および天然抽出物のうち１種以上を含有する、＜３＞に記載の組成物。
【００８１】
＜５＞  一般式（Ｉ）で表される化合物と、前記一般式（Ｉ）で表される化合物以外の香料の比率、〔一般式（Ｉ）で表される化合物／前記一般式（Ｉ）で表される化合物以外の香料〕が１／１０００以上、より好ましくは５／１０００以上、より好ましくは１０／１０００以上である＜３＞又は＜４＞記載の組成物。
【００８２】
＜６＞一般式（Ｉ）で表される化合物と、前記一般式（Ｉ）で表される化合物以外の香料の比率、〔一般式（Ｉ）で表される化合物／前記一般式（Ｉ）で表される化合物以外の香料〕が１００／１０００以下、より好ましくは５０／１０００以下、より好ましくは２５／１０００以下である＜３＞〜＜５＞いずれか一項記載の組成物。
【００８３】
＜７＞  前記一般式（Ｉ）で表される化合物以外の香料が、エステル類、より好ましくは、ジヒドロジャスモン酸メチルである＜３＞〜＜６＞いずれか一項記載の組成物。
【００８４】
＜８＞  一般式（Ｉ）で表される化合物と、前記エステル類の香料の比率、〔一般式（Ｉ）で表される化合物／エステル類の香料〕が１／１０００以上、より好ましくは１０／１０００以上、より好ましくは２０／１０００以上である＜７＞記載の組成物。
【００８５】
＜９＞  一般式（Ｉ）で表される化合物と、前記エステル類の香料の比率、〔一般式（Ｉ）で表される化合物／エステル類の香料〕が１００／１０００以下、より好ましくは５０／１０００以下、より好ましくは４０／１０００以下である＜７＞又は＜８＞記載の組成物。
【００８６】
＜１０＞  前記一般式（Ｉ）で表される化合物以外の香料が、エーテル類、より好ましくは、ヘキサメチルヘキサヒドロシクロペンタベンゾピランである＜３＞又は＜４＞に記載の組成物。
【００８７】
＜１１＞  一般式（Ｉ）で表される化合物と、前記エーテル類の香料の比率、〔一般式（Ｉ）で表される化合物／エーテル類の香料〕が１／１０００以上、より好ましくは５／１０００以上、より好ましくは１０／１０００以上である＜１０＞記載の組成物。
【００８８】
＜１２＞  一般式（Ｉ）で表される化合物と、前記エーテル類の香料の比率、〔一般式（Ｉ）で表される化合物／エーテル類の香料〕が１００／１０００以下、より好ましくは５０／１０００以下、より好ましくは２５／１０００以下である＜１０＞又は＜１１＞記載の組成物。
【００８９】
＜１３＞  前記一般式（Ｉ）で表される化合物以外の香料が、アルコール類、より好ましくは、芳香族アルコール、より好ましくはフェニルエチルアルコールである＜３＞又は＜４＞に記載の香料組成物。
【００９０】
＜１４＞  一般式（Ｉ）で表される化合物と、前記アルコール類の香料の比率、〔一般式（Ｉ）で表される化合物／アルコール類の香料〕が１／１０００以上、より好ましくは５／１０００以上、より好ましくは１０／１０００以上である＜１３＞記載の組成物。
【００９１】
＜１５＞  一般式（Ｉ）で表される化合物と、前記アルコール類の香料の比率、〔一般式（Ｉ）で表される化合物／アルコール類の香料〕が１００／１０００以下、より好ましくは５０／１０００以下、より好ましくは２５／１０００以下である＜１３＞又は＜１４＞記載の組成物。
【００９２】
＜１６＞  前記一般式（Ｉ）で表される化合物以外の香料が、化合物（Ｉ）以外のムスク系香料、より好ましくはガラクソリド（ＩＦＦ社商品名、ヘキサメチルヘキサヒドロシクロペンタベンゾピラン）、ハバノリド（フィルメニヒ社商品名、シクロペンタデセノリド）、ｌ−ムスコン（（Ｒ）−３−メチルシクロペンタデカノン）、ムスコン（３−メチルシクロペンタデカノン）、ムスクＴＭ−ＩＩ（曽田香料株式会社商品名、５−シクロヘキサデセン−１−オン）及びムスクＺ−４（ＩＦＦ社商品名、（Ｚ）−４−シクロペンタデセン−１−オン）から選ばれる１種以上である＜３＞〜＜１５＞いずれか１項記載の組成物。
【００９３】
＜１７＞  一般式（Ｉ）で表される化合物と、前記ムスク系香料の比率、〔一般式（Ｉ）で表される化合物／ムスク系香料〕が１／１０００以上、より好ましくは５／１０００以上、より好ましくは１０／１０００以上である＜１６＞記載の組成物。
【００９４】
＜１８＞  一般式（Ｉ）で表される化合物と、前記ムスク系香料の比率、〔一般式（Ｉ）で表される化合物／ムスク系香料〕が１００／１０００以下、より好ましくは５０／１０００以下、より好ましくは２５／１０００以下である＜１６＞又は＜１７＞記載の組成物。
【００９５】
＜１９＞  ＜１＞〜＜１８＞いずれか一項記載の組成物を含有する洗浄剤。
【００９６】
＜２０＞  ＜１＞〜＜１８＞いずれか一項記載の組成物を含有する化粧料。
【００９７】
＜２１＞  ＜１＞〜＜１８＞いずれか一項記載の組成物を含有する繊維処理剤。
【００９８】
＜２２＞  ＜１＞〜＜１８＞に記載の組成物を賦香成分として使用する方法。
【００９９】
＜２３＞  ＜１＞〜＜１８＞に記載の組成物を賦香成分としての使用。
【０１００】
＜２４＞  ＜１＞〜＜１８＞に記載の組成物を賦香成分として香り全体を強める方法。
【０１０１】
＜２５＞  ＜１＞〜＜１８＞に記載の組成物を賦香成分として香り全体を強めるための使用。
【０１０２】
＜２６＞  ＜１＞〜＜１８＞に記載の組成物を賦香成分としてムスクの柔らかさを足す方法。
【０１０３】
＜２７＞  ＜１＞〜＜１８＞に記載の組成物を賦香成分としてムスクの柔らかさを足すための使用。
【０１０４】
［実施例］
以下の実施例及び比較例等において行った測定法の詳細を以下にまとめて示す。
【０１０５】
〔化合物の同定〕
以下の製造例で得られた各化合物は、1Ｈ−ＮＭＲおよびガスクロマトグラフ質量（ＧＣ−ＭＳ）分析計（島津製作所社製、型式：ＧＣ−２０１０）のスペクトル分析により得たデータと、公知文献等により開示された化合物データとが合致することにより化合物を同定した。
【０１０６】
〔香気評価〕
調香・香料評価業務経験者２名により、におい紙法により香調と強度を判定した。におい紙（幅６ｍｍ長さ１５０ｍｍの香料試験紙）の先端約５ｍｍを、試料に浸漬し、評価した。
【０１０７】
香気は、副次的に感じられる香り（副香気）を付記した。調合香料の評価は、本発明の組成物を含まないものをブランクとし、ブランクからの香調の変化を評価した。
【０１０８】
実施例で用いた化合物（Ｉ）のＥ体とＺ体は、以下の製造例により製造した。
【０１０９】
なお、化合物（Ｉ）のＥ体は、（Ｅ）―オキサシクロヘプタデク―８―エン−２−オンであり、化合物（Ｉ）のＺ体は、（Ｚ）―オキサシクロヘプタデク―８―エン−２−オンである。
【０１１０】
［製造例１］
Ｅ体／Ｚ体の比率が９１／９である、オキサシクロヘプタデク―８―エン−２−オン混合物の合成方法
［製造例１］
（ａ）９−デセニル−７−オクテノアートの製造
フラスコに、９−デセン−１−オール（東京化成工業株式会社製、２．２ｇ、１４．０ミリモル）および７−オクテン酸（アルドリッチ社製、２．０ｇ、１４．０ミリモル）を仕込み、ジクロロメタン（３０ｍＬ）に溶解させた。続いて前記フラスコ中に、１−エチル−３（３−ジメチルアミノプロピル）カルボジイミド塩酸塩（３．２ｇ、１６．８ミリモル）とＮ，Ｎ'−ジメチルアミノピリジン（１７１ｍｇ、１．４ミリモル）を添加し、窒素気流下、室温で３時間反応させた。反応終了液に塩化アンモニウム水溶液を加えて攪拌後、静置分層して水層を抜き出し、油層を飽和食塩水で洗浄後、硫酸ナトリウムを加えて脱水乾燥した。濾過した後に前記油層からジクロロメタンを留去し、９−デセニル−７−オクテノアート（３．９ｇ、１４．０ミリモル）を粗収率１００％で得た。
【０１１１】
（ｂ）（Ｅ）―オキサシクロヘプタデク―８―エン−２−オンの製造
三口フラスコに、前記工程（ａ）において得られた９−デセニル−７−オクテノアート（３．３ｇ、１１．８ミリモル）、ジクロロメタン（３Ｌ）、および下記式に示すメタセシス触媒（商品名「Ｕｍｉｃｏｒｅ  Ｍ２」、ユミコアジャパン株式会社製、１９４ｍｇ、０．２１ミリモル）を仕込み、窒素気流下２４時間加熱還流（５０℃）を行った後、下記式に示すメタセシス触媒を１３０ｍｇ（０．１４ミリモル）追加添加し、更に５時間撹拌を続けた。反応終了液のガスクロマトグラフィー定量分析を行ったところ、オキサシクロヘプタデク―８―エン−２−オンが２．０ｇ（Ｅ／Ｚ＝７０／３０、７．９ミリモル、収率６７％）含まれていた。
【０１１２】
【化４】
2019194186.tif 000006
【０１１３】
この反応溶液からジクロロメタンを留去し、残留物をシリカゲルカラムクロマトグラフィー（展開溶媒は、ｎ−ヘキサン：酢酸エチル＝９５：５）で精製し、（Ｅ）―オキサシクロヘプタデク―８―エン−２−オンを０．３ｇ（Ｅ／Ｚ＝９１／９）得た。
【０１１４】
［製造例２］
Ｅ体／Ｚ体の比率が２／９８であるオキサシクロヘプタデク―８―エン−２−オンの混合物の合成方法
三口フラスコに、製造例１（ａ）で得られた９−デセニル−７−オクテノアート（０．９ｇ、３．２ミリモル）、ジクロロメタン（１．１Ｌ）、および下記式に示すメタセシス触媒（アルドリッチ社製、１００ｍｇ、０．１６ミリモル）を仕込み、窒素気流下２４時間加熱還流（５０℃）を行った後、下記式に示すメタセシス触媒を１００ｍｇ（０．１６ミリモル）追加添加し、更に２４時間撹拌を続けた。反応終了液のガスクロマトグラフィー定量分析を行ったところ、（Ｚ）―オキサシクロヘプタデク―８―エン−２−オンが０．４ｇ（Ｅ／Ｚ＝２／９８、１．６ミリモル、収率４９％）含まれていた。
【０１１５】
【化５】
2019194186.tif 000007
【０１１６】
この反応溶液からジクロロメタンを留去し、残留物をシリカゲルカラムクロマトグラフィー（展開溶媒は、ｎ−ヘキサン：酢酸エチル＝９９：１）で精製し、（Ｚ）―オキサシクロヘプタデク―８―エン−２−オンを０．３ｇ（Ｅ／Ｚ＝２／９８）得た。
【０１１７】
［実施例１〜３および比較例１〜４］
製造例１で得られた化合物（Ｉ）の混合物（ただしＥ体／Ｚ体＝９１／９）と製造例２で得られた化合物（Ｉ）の混合物（ただしＥ体／Ｚ体＝２／９８）を用いて、表１に示す組成の組成物を調製し、香気評価を行った。香気評価の結果も表１に示す。
【０１１８】
【化６】
2019194186.tif 000008
【０１１９】
【表１】
2019194186.tif 000009
【０１２０】
前記表１に示すように、比較例の組成物はやや甘さのあるムスクや、はっきりとした輪郭のあるしっとりとしたムスクの香気を有することが確認できた。一方、本発明の組成物は、比較例１および４と比べてしっとりとした香りが強く、アルデヒド様の甘さがあるムスクの香気を有することが確認できた。
【０１２１】
［実施例４〜６及び比較例５〜９］
製造例１で得られた化合物（Ｉ）の混合物（ただしＥ体／Ｚ体＝９１／９）と製造例２で得られた化合物（Ｉ）の混合物（ただしＥ体／Ｚ体＝２／９８）を用いて、表２に示す組成の香水を調製した。得られた香水の香気評価を行い、その香気評価の結果は表３に示す。
【０１２２】
【表２】
2019194186.tif 000010
【０１２３】
１）アンブロキサン（花王株式会社商品名、［３ａＲ−（３ａα，５ａβ，９ａα，９ｂβ）］ドデカヒドロ−３ａ，６，６，９ａ−テトラメチルナフト［２，１−ｂ］フラン）
２）Ｄ．Ｐ．Ｇ：ジプロピレングリコール、
３）ＭＤＪ（花王株式会社商品名、ジヒドロジャスモン酸メチル、メチル （２−ペンチル−３−オキソシクロペンチル）アセテート）、
４）イソ・イー・スーパー（ＩＦＦ社商品名、１−（１，２，３，４，５，６，７，８−オクタヒドロ−２，３，８，８−テトラメチル−２−ナフタレニル）−エタン−１−オン）、
５）リファローム（ＩＦＦ社商品名、ｃｉｓ−３−ヘキセニルメチルカーボネート）、
６）リリアール（Ｇｉｖａｕｄａｎ社商品名、ｐ−ｔｅｒｔ−ブチル−α−メチルヒドロシンナミックアルデヒド）、
７）ベルートン（フィルメニッヒ社商品名、２，２，５−トリメチル−５−ペンチルシクロペンタノン）、
８）アンバーコア（花王株式会社商品名、１−（２−ｔ−ブチルシクロヘキシルオキシ）−２−ブタノール）、サンダルマイソールコア（花王株式会社商品名、
９）フロローサ（ジボダン社商品名、化学名：４−メチル−２−（２−メチルプロピル）テトラヒドロ−２Ｈ−４−ピラノール）。
【０１２４】
【表３】
2019194186.tif 000011
【０１２５】
表３に示すように、比較例の香水は、化合物（Ｉ）を含まないブランク（比較例５）よりムスクの甘さが足されたり、全体が調和することが確認できた。一方、本発明の香水は、化合物（Ｉ）を含まないブランク（比較例５）よりムスクの甘さが足され、全体が調和し、かつ、アルデヒド様の甘さにより香り全体が強くなることが確認できた。
【０１２６】
［実施例７〜９及び比較例１０〜１４］
製造例１で得られた化合物（Ｉ）の混合物（ただしＥ体／Ｚ体＝９１／９）と製造例２で得られた化合物（Ｉ）の混合物（ただしＥ体／Ｚ体＝２／９８）を用いて、表４に示す組成の香水を調製した。得られた香水の香気評価を行い、その香気評価の結果は表５に示す。
【０１２７】
【表４】
2019194186.tif 000012
【０１２８】
１）アンバーコア（花王株式会社商品名、１−（２−ｔ−ブチルシクロヘキシルオキシ）−２−ブタノール）、
２）アンブリノール（商品名、１，２，３，４，４ａ，５，６，７−オクタヒドロ−２，５，５−トリメチル−ナフタレン−２−オール）、
３）アンブリノール２０Ｔ（高砂香料工業株式会社商品名、１，２，３，４，４ａ，５，６，７−オクタヒドロ−２，５，５−トリメチル−ナフタレン−２−オール）、
４）アンブロテック（花王株式会社商品名、ドデカヒドロ−３ａ，６，６，９ａ−テトラメチルナフト［２，１−ｂ］フラン）、
５）アンブロキサン（花王株式会社商品名、［３ａＲ−（３ａα，５ａβ，９ａα，９ｂβ）］ドデカヒドロ−３ａ，６，６，９ａ−テトラメチルナフト［２，１−ｂ］フラン）、
６）ボアザンブレンフォルテ（花王株式会社商品名、エトキシメチルシクロドデシルエーテル）、
７）Ｄ．Ｐ．Ｇ：ジプロピレングリコール、
８）フロラントンＴ（高砂香料工業株式会社商品名、１−（５，６，７，８−テトラヒドロ−２−ナフタレニル）エタノン、
９）フロレックス（フィルメニヒ社商品名、６−エチリデンオクタハイドロ−５，８−メタノ−２Ｈ−１−ベンゾピラン）、
１０）ガラクソリド（ＩＦＦ社商品名、ヘキサメチルヘキサヒドロシクロペンタベンゾピラン）、
１１）グロバノン（シムライズ社商品名、８−シクロヘキサデセノン）、
１２）ハバノリド（フィルメニヒ社商品名、シクロペンタデセノリド）、
１３）インドレン５０ＢＢ（ＩＦＦ社商品名、７，７−ビス（１Ｈ−インドール−３−イル）−１，１，５−トリメチル−１−ヘプタノール、
１４）ｌ−ムスコン（（Ｒ）−３−メチルシクロペンタデカノン）、
１５）ムスコン（3-メチルシクロペンタデカノン）、
１６）ムスクＴＭ−ＩＩ（曽田香料株式会社商品名、５−シクロヘキサデセン−１−オン）、
１７）ムスクＺ−４（ＩＦＦ社商品名、（Ｚ）−４−シクロペンタデセン−１−オン）、
１８）ポリメフロール（高砂香料工業株式会社商品名、１−（２−メチル−２−プロペニルオキシ）−２，２，４−トリメチルペンタン−３−オール）
【０１２９】
【表５】
2019194186.tif 000013
【０１３０】
表５に示すように、比較例の香水は、化合物（Ｉ）を含まないブランク（比較例１０）よりムスクの甘さが足されることが確認できた。一方、本発明の香水は、化合物（Ｉ）を含まないブランク（比較例１０）よりムスクの甘さが足され、全体が調和し、かつ、香りが立体的になり、清潔感が出ることが確認できた。
【０１３１】
［実施例１０〜１２及び比較例１５〜１９］
製造例１で得られた化合物（Ｉ）の混合物（ただしＥ体／Ｚ体＝９１／９）と製造例２で得られた化合物（Ｉ）の混合物（ただしＥ体／Ｚ体＝２／９８）を用いて、表６に示す組成の香水を調製した。得られた香水の香気評価を行い、その香気評価の結果は表７に示す。
【０１３２】
【表６】
2019194186.tif 000014
【０１３３】
１）α−テルピネオール（２−（４−メチルシクロヘキサー−３−エニル）プロパン−２−オール）、
２）Ｉ．Ｐ．Ｍ（ミリスチン酸イソプロピル）、
３）ＭＤＪ（花王株式会社商品名、ジヒドロジャスモン酸メチル、メチル （２−ペンチル−３−オキソシクロペンチル）アセテート）、
４）トリプラール（ＩＦＦ商品名、２，４−ジメチル−３−シクロヘキセン−１−カルボキシアルデヒド）
５）べルートン（フィルメニヒ社商品名、２，５，５−トリメチル−２−ペンチルシクロペンタノン）
【０１３４】
【表７】
2019194186.tif 000015
【０１３５】
表７に示すように、比較例の香水は、化合物（Ｉ）を含まないブランク（比較例１５）よりムスクの甘さが足されることが確認できた。一方、本発明の香水は、化合物（Ｉ）を含まないブランク（比較例１５）よりムスクの甘さが足され、ローズの香りが柔らかく広がり、香り全体のボリューム感が強まることが確認できた。
【産業上の利用可能性】
【０１３６】
本発明の組成物は、香料として有用なムスク調の香気を有するため、香料素材として用いることができる。また、本発明の組成物は、他の様々な香料との調和性に優れ、調合することで特徴的な香りの効果を創出することが可能なため、賦香成分として使用できる。
【国際調査報告】
2019194186.tif 000018
2019194186.tif 000019
2019194186.tif 000020
2019194186.tif 000021